(57)【要約】  【課題】光ケーブルから引き剥がした光ファイバに無理な力を加えることなく、たるみ部分の光劣化や鳥害を防止すること。    【解決手段】光ファイバ２とこれを支持する吊線３とからなる光ケーブル２を屋外から屋内に引き込むための光ケーブル引留具において、家屋の外壁に設けた掛具に引っ掛ける引掛金具１０を備え、光ケーブル１から引き剥がして光ファイバ２から分離した吊線３のはねを防止するはね止め部５、この吊線を巻回する第１巻付け部６、第２巻付け部７及びＴ字状巻付け部８を配設するとともに他方の吊線３から分離されてたるんでいる光ファイバ２を捻って輪を形成して収容する収納ケースを前記はね止め部５、および各巻付け部６，７，８などと一体成型によって形成してなる構成である。【選択図】  図１
2007178569.tif 000002
【特許請求の範囲】
【請求項１】
光ファイバとこれを支持する吊線とからなる光ケーブルを屋外から屋内に引き込むための光ドロップケーブル引留具において、
家屋の外壁に設けた掛具に引っ掛ける引掛金具を備え、光ケーブルから引き剥がして光ファイバから分離した吊線のはねを防止するはね止め部、この吊線を巻回する第１巻付け部、第２巻付け部及びＴ字状巻付け部を配設するとともに他方の分離されてたるんでいる光ファイバを捻って輪を形成して収容する収納ケースを前記はね止め部、および各巻付け部などと一体成型によって形成してなることを特徴とする保護ケース付光ドロップケーブル引留具。
【請求項２】
引留具本体に設けた前記収納ケースが前記各巻付け部を備えた面の反対面に形成されていることを特徴とする請求項１に記載の保護ケース付光ドロップケーブル引留具。
【発明の詳細な説明】
【技術分野】
【０００１】
本発明は、光通信サービスにおける光ケーブルを家屋に引き込む光ドロップケーブル引留具に関するもので、特に、光ファイバの保護ケースを備えた保護ケース付光ドロップケーブル引留具に関する。
【背景技術】
【０００２】
光ファイバとこの光ファイバを支持する吊線とからなる光ケーブルを屋内に引き込む光ドロップケーブルの引留具は、吊線を巻き付けるＴ字形の首部、吊線を首部に案内する巻付け円筒、および吊線をガイドするガイド突起から形成されている。屋外の電柱などに架線してある光ケーブルを屋内に引き込む際には、光ケーブルから吊線のみを引き剥がして分離し、この吊線のみを引留具に巻き付け、光ファイバの方はたるませて放置され、部分的に小さな曲率で曲がることもあり、光ファイバの性能に悪い影響を与えていた。また光ファイバがむき出しでたるませてあるので、鳥害や断線のおそれがあり、光劣化を生じることになっていたし、台風などの強風が吹いたときには光ファイバが損傷することになっていた。
【０００３】
そのため光ファイバのたるみをなくすために、引留具本体に光ファイバを巻きつける円盤を固着することが特開平１０−２８８７１１号公報（特許文献１）などにより知られている。この発明は、引留具本体の中央部に第１巻き付け部を形成すると共にこの裏面側に曲率の大きな円盤を配置して光ファイバのたるみ部分を巻回すようにしたものである。しかし、光ファイバを円筒に巻きつけるので光ファイバに悪影響を与えるおそれがあった。また、光ファイバがむき出しであるために鳥害による断線や光通信のロスを生じていた。
【特許文献１】特開平１０−２８８７１１号公報
【発明の開示】
【発明が解決しようとする課題】
【０００４】
本発明は、上記のような問題点を解決するもので、光ファイバに悪影響を与えないで、光ファイバをむき出しにしないようにした光ケーブルの引留具を提供する。また光ケーブルの本体を保護するためのスパイラル保護チューブ巻きが不要となる引留具を提供する。
本発明の課題は、光ケーブルから引き剥がした光ファイバに無理な力を加えることなく、たるみを収容できる保護ケースを備えた保護ケース付光ケーブル引留具本体を提供することである。
本発明の課題は、吊線から分離した光ファイバのたるみ部分の光劣化を防止する保護ケースを備えた保護ケース付光ケーブル引留具を提供することである。
【課題を解決するための手段】
【０００５】
本発明の前記課題は、以下の構成によって達成できる。
光ファイバとこれを支持する吊線とからなる光ケーブルを屋外から屋内に引き込むための光ケーブル引留具において、家屋の外壁に設けた掛具に引っ掛ける引掛金具を備え、光ケーブルから引き剥がして光ファイバから分離した吊線のはねを防止するはね止め部、この吊線を巻回する第１巻付け部、第２巻付け部及びＴ字状巻付け部を配設するとともに他方の分離されてたるんでいる光ファイバを捻って輪を形成して収容する収納ケースを前記はね止め部、および各巻付け部などと一体成型によって形成してなる保護ケース付光ドロップケーブル引留具である。
【０００６】
本発明の前記課題は、引留具本体に設けた前記収納ケースが前記引留具本体の前記はね止め部、および各巻付け部を突設してある面の反対面に前記収納ケースが設けられている構成によって達成できる。
【発明の効果】
【０００７】
本発明の保護ケース付光ドロップケーブル引留具は、光ケーブルの吊線から引き剥がした光ファイバ収納する保護ケースを備えるから光ファイバの性能低下を防止し安全に保護することができ、長期間における鳥害などによるファイバの損傷を防止でき、光通信のロスや断線を防止できる。
【０００８】
本発明の保護ケース付光ドロップケーブル引留具は、収納ケースを一体成型によって形成してあるから簡易に製造することができる。
【発明を実施するための最良の形態】
【０００９】
以下，本発明に係わる保護ケース付光ドロップケーブル引留具の一実施の形態について図面を参照して詳細に説明する。
図１は本発明に係る保護ケース付光ドロップケーブル引留具の１実施形態の斜視図である。図２は図１の一部断面側面図である。図３は本発明保護ケース付光ドロップケーブル引留具の使用状態を示す説明図である。図４は図３の裏面図である。
【００１０】
図１における本発明の保護ケース付光ドロップケーブル引留具の１実施形態において，１は光ファイバ２と金属線からなる吊線３とから形成されている光ケーブルである。この光ケーブル１を屋外の電柱から家屋に引き込むに当たり家屋の壁面の掛具１１に引っ掛ける引掛金具１０を一端に備えた引留具本体４に取付けて光ケーブル１を引き込む。この引留具本体４は光ケーブル１から引き剥がした吊線３のみを固定するために、吊線３のはね止め部５、第１巻付部６、第２巻付部７及びＴ字状巻付け部８を備え、この他に光ファイバ２を捻って収容する空間を備えた収納部９を配設してある。
【００１１】
このようにこう構成してある本発明の保護ケース付光ドロップケーブル引留具は、電柱などに架線してある光ケーブル１からの家屋へ引き込むに際して、吊線３のみを引き剥がし、引留具本体４のはね止め部５に吊線１を掛けて吊線１自体の弾力によるはねを防止し、この吊線１を第１巻付け部６に巻回し、次に、第２巻付け部７に巻回してＴ字状巻き付け部８に巻き付けて固定する。他方、吊線１から分離した光ファイバ２のたるみ部分は無理な力を加えることなく、光ファイバ２の性能を保持した状態で、一捻りまたは二捻りして輪状に形成し、収納部９の開口部９ａから挿入して収納する。
【００１２】
このように光ファイバ２のたるみ部分がケース内に収納されるから光ファイバ２の表面の保護樹脂の光劣化を防止できる。
【００１３】
本発明の保護ケース付光ドロップケーブル引留具の取付作業について説明する。
光ケーブル１の吊線３を引き剥がして引留具本体４のはね止め部５に挟んで止める。次に、この吊線３を第１巻付け部６、第２巻付け部７及びＴ字状巻付け部８に順次巻回して巻き付けて吊線３を確実に引留具本体４に引き留めることができる。
【００１４】
本発明の保護ケース付光ドロップケーブル引留具は、光ファイバが大きな輪状に捻ってあるので、いたずらに力を加えて巻き付けることがないから光ファイバの性能に悪影響を与えない。従って、長期間にわたり安定して光通信を行うことができる
【図面の簡単な説明】
【００１５】
【図１】本発明に係る保護ケース付光ドロップケーブル引留具の１実施形態の斜視図である。
【図２】図１の一部断面側面図である。
【図３】本発明保護ケース付光ドロップケーブル引留具の使用状態を示す説明図である。
【図４】図３の裏面図である。
【符号の説明】
【００１６】
１    光ケーブル
２    光ファイバ
３    吊線
４    引留具本体
５    はね止め部
６    第１巻付け部
７    第２巻付け部
８    Ｔ字状巻付け部
９     収納部
１０    引掛金具
１１     掛具
【図１】
2007178569.tif 000003
【図２】
2007178569.tif 000004
【図３】
2007178569.tif 000005
【図４】
2007178569.tif 000006